(57)【特許請求の範囲】
【請求項１】
扉を閉じた状態において、戸枠の戸当たりと前記扉との間の隙間を遮蔽開放する換気機構を備えており、
該換気機構は、
前記扉に対して接近離間可能に設けられた遮蔽部材と、
前記戸枠に設けられた、該遮蔽部材を移動させる操作部と、を備えており、
該操作部は、
前記戸枠の戸当たりの表面方向に沿って移動可能に設けられた移動部材と、
該移動部材の移動を案内する案内機構と、を備えており、
該案内機構は、
前記移動部材に連結された案内部と、
前記遮蔽部材に連結された可動側部材と、を備えており、
前記可動側部材には、前記戸枠の戸当たりと交差する面に該戸枠の戸当たりに対して傾斜した案内溝が形成されており、
前記案内部は、
前記可動側部材の案内溝に挿入された案内部材を備えており、
前記移動部材を前記戸枠の戸当たりの表面方向に沿って移動させると、前記案内機構に案内されて、前記遮蔽部材と前記扉との間の距離が変化する
ことを特徴とするドアセット。
【請求項２】
扉を閉じた状態において、戸枠の戸当たりと前記扉との間の隙間を遮蔽開放する換気機構を備えており、
該換気機構は、
前記扉に対して接近離間可能に設けられた遮蔽部材と、
前記戸枠に設けられた、該遮蔽部材を移動させる操作部と、を備えおり、
前記操作部は、
前記戸枠の戸当たりの表面方向に沿って移動可能に設けられた移動部材と、
前記移動部材の移動を案内する案内機構と、を備えており、
該案内機構は、
前記移動部材に連結された案内部と、
前記遮蔽部材に連結された可動側部材と、を備えており、
前記案内部には、前記戸枠の戸当たりと交差する面に該戸枠の戸当たりに対して傾斜した案内溝が形成されており、
前記可動側部材は、
前記案内部の案内溝に挿入される案内部材を備えており、
前記移動部材を前記戸枠の戸当たりの表面方向に沿って移動させると、前記案内機構に案内されて、前記遮蔽部材と前記扉との間の距離が変化する
ことを特徴とするドアセット。
【請求項３】
前記遮蔽部材が、
前記戸枠の戸当たりに配置されるクッション材である
ことを特徴とする請求項１または２記載のドアセット。
【発明の詳細な説明】
【技術分野】
【０００１】
本発明は、ドアセットに関する。さらに詳しくは、気密換気状態を切り換える換気機能を備えたドアセットに関する。
【背景技術】
【０００２】
近年の居住用建物は、居住環境の向上を目的として、外部の気候が屋内環境に与える影響が少なくなるような構造が採用されている。例えば、高断熱性と高気密性、遮音性を実現できる構造が一般化している。
【０００３】
このような建物の場合、建物内部（室内）の自然換気がほとんど期待できなくなるため、換気するための設備や機構を、建物自体またはその附属品である扉などに設けて、室内を換気できるようにする必要がある。
【０００４】
従来、室内を換気する方法として、扉に通気機構を設けることが行われている。具体的には、扉の内面と外面にそれぞれガラリ窓を設けて、扉内にガラリ窓間を連通する通気通路を設けることが行われている。
【０００５】
また、室内の気密性を維持でき、しかも、換気機能を設けたドア装置が特許文献１に開示されている。
この特許文献１には、扉の表面間を連通する通気路と、通気路を遮断もしくは開放する遮へい部材と、遮へい部材を操作する操作部と、を備えたドア装置が開示されている。このドア装置の場合、操作部によって遮へい部材を操作して通気路を遮断すれば気密性を維持できる。逆に、操作部によって遮へい部材を操作して通気路を開放すれば、通気路を介した通気を確保できる。
【先行技術文献】
【特許文献】
【０００６】
【特許文献１】特開２００９−４６８６５号
【発明の概要】
【発明が解決しようとする課題】
【０００７】
しかるに、従来の方法や特許文献１のドア装置の場合、扉内にその表面間を連通する通気通路が設けられるため、遮音性や断熱性などの扉自体の機能が低下する。しかも、特許文献１のドア装置では、扉の内部に遮へい部材と操作部を設けているため、扉を特別なものとしなければならない。すると、扉の構造が複雑になるため、扉が高価になり、デザインの選択肢が限られてしまう。
【０００８】
本発明は上記事情に鑑み、気密性を維持しつつ換気を容易に行うことができ、しかも、扉の構造が複雑になることを防止できるドアセットを提供することを目的とする。
【課題を解決するための手段】
【０００９】
第１発明のドアセットは、扉を閉じた状態において、戸枠の戸当たりと前記扉との間の隙間を遮蔽開放する換気機構を備えており、該換気機構は、前記扉に対して接近離間可能に設けられた遮蔽部材と、前記戸枠に設けられた、該遮蔽部材を移動させる操作部と、を備えており、該操作部は、前記戸枠の戸当たりの表面方向に沿って移動可能に設けられた移動部材と、該移動部材の移動を案内する案内機構と、を備えており、該案内機構は、前記移動部材に連結された案内部と、前記遮蔽部材に連結された可動側部材と、を備えており、前記可動側部材には、前記戸枠の戸当たりと交差する面に該戸枠の戸当たりに対して傾斜した案内溝が形成されており、前記案内部は、前記可動側部材の案内溝に挿入された案内部材を備えており、前記移動部材を前記戸枠の戸当たりの表面方向に沿って移動させると、前記案内機構に案内されて、前記遮蔽部材と前記扉との間の距離が変化することを特徴とする。
第２発明のドアセットは、扉を閉じた状態において、戸枠の戸当たりと前記扉との間の隙間を遮蔽開放する換気機構を備えており、該換気機構は、前記扉に対して接近離間可能に設けられた遮蔽部材と、前記戸枠に設けられた、該遮蔽部材を移動させる操作部と、を備えおり、前記操作部は、前記戸枠の戸当たりの表面方向に沿って移動可能に設けられた移動部材と、前記移動部材の移動を案内する案内機構と、を備えており、該案内機構は、前記移動部材に連結された案内部と、前記遮蔽部材に連結された可動側部材と、を備えており、前記案内部には、前記戸枠の戸当たりと交差する面に該戸枠の戸当たりに対して傾斜した案内溝が形成されており、前記可動側部材は、前記案内部の案内溝に挿入される案内部材を備えており、前記移動部材を前記戸枠の戸当たりの表面方向に沿って移動させると、前記案内機構に案内されて、前記遮蔽部材と前記扉との間の距離が変化することを特徴とする。
第３発明のドアセットは、第１または第２発明において、前記遮蔽部材が、前記戸枠の戸当たりに配置されるクッション材であることを特徴とする。
【発明の効果】
【００１０】
第１発明によれば、換気機構の遮蔽部材を扉に対して接近離間させれば、換気状態と遮蔽状態とを切り換えることができる。しかも、換気機構は戸枠に設けられており、また、遮蔽部材を扉に対して接近離間させるだけであるので、扉自体に特別な加工等をしなくてもよい。したがって、換気機構を設けても、扉の構造が複雑になることを防止することができる。また、移動部材を戸枠の戸当たりの表面方向に沿って移動させるだけで、遮蔽部材を扉に対して接近離間させることができるので、通気遮蔽の切り替えが容易になる。しかも、移動部材を有する操作部を遮蔽部材と戸枠の戸当たりとの間に設けているだけであるから、換気機構の構造を簡単なものとすることができる。そして、案内機構に案内されて可動側部材が移動するので、遮蔽部材の移動を安定させることができる。
第２発明によれば、換気機構の遮蔽部材を扉に対して接近離間させれば、換気状態と遮蔽状態とを切り換えることができる。しかも、換気機構は戸枠に設けられており、また、遮蔽部材を扉に対して接近離間させるだけであるので、扉自体に特別な加工等をしなくてもよい。したがって、換気機構を設けても、扉の構造が複雑になることを防止することができる。また、移動部材を戸枠の戸当たりの表面方向に沿って移動させるだけで、遮蔽部材を扉に対して接近離間させることができるので、通気遮蔽の切り替えが容易になる。しかも、移動部材を有する操作部を遮蔽部材と戸枠の戸当たりとの間に設けているだけであるから、換気機構の構造を簡単なものとすることができる。そして、案内機構に案内されて可動側部材が移動するので、遮蔽部材の移動を安定させることができる。
第３発明によれば、遮蔽部材がクッション材であるので、戸枠と扉の隙間を遮蔽した際の気密性を高くすることができる。しかも、遮蔽部材を設けるための特別なスペースが不要となるので、戸枠が大型化することも防ぐことができる。
【図面の簡単な説明】
【００１１】
【図１】本実施形態のドアセット１の部分拡大断面図である。
【図２】換気機構２０の作動を説明する説明図であり、（Ａ）は遮蔽状態を示しており、（Ｂ）は換気状態を示している。
【図３】本実施形態のドアセット１を取り付けた玄関の概略説明図であって、（Ａ）は外部から見た状態の説明図であり、（Ｂ）は室内から見た状態の説明図である。
【図４】換気機構２０の単体説明図であり、（Ａ）は背面から見た図であり、（Ｂ）は（Ａ）のＢ−Ｂ線断面矢視図である。
【図５】換気機構２０の作動を説明する単体説明図であり、（Ａ）は遮蔽状態を示しており、（Ｂ）は換気状態を示している。
【図６】案内機構２０の作動を説明する概略説明図であり、（Ａ）は換気状態を示しており、（Ｂ）は遮蔽状態を示している。
【図７】作動機構２５の概略説明図である。
【発明を実施するための形態】
【００１２】
本発明のドアセットは、居住用建物の室内と室外とを連通する入口に設けられるドアセットであって、室内と室外との間の気密性を維持しつつ、換気を容易に行うことができる構造としたことに特徴を有している。
【００１３】
本発明のドアセットが設置される居住用建物はとくに限定されないが、例えば、マンション等の集合住宅における各住戸の玄関等のように、室外（屋外）と室内とを分離するドアセットに適している。
また、本発明のドアセットは、玄関に設置されるドアセットとして使用されることはもちろん、マンションの各住戸の部屋同士の間に設置されるドアセットや、部屋と廊下との間に設置されるドアセットとしても使用することができる。
以下では、本発明のドアセットを、マンションの住戸の玄関ドアに使用した場合を代表として説明する。
【００１４】
（ドアセット１）
図３において、符号Ｆは共用廊下を示しており、符号ＥＷは玄関側壁を示している。この玄関側壁ＥＷには、本実施形態のドアセット１が取り付けられている。
【００１５】
図３に示すように、本実施形態のドアセット１は、戸枠２と、この戸枠２に取り付けられる扉１０と、換気機構２０と、を備えている。
【００１６】
（戸枠２）
図３に示すように、戸枠２は、一対の竪枠２ａ、２ｂと、この竪枠２ａ、２ｂの下端間および上端間をそれぞれ繋ぐように設けられた下枠２ｃと上枠２ｄとから構成されている。この戸枠２は、一対の竪枠２ａ、２ｂと下枠２ｃ、上枠２ｄに囲まれた正面視略長方形の開口２ｈが形成されるように、各枠２ａ〜２ｄが配設されている。
【００１７】
戸枠２の各枠２ａ〜２ｄには戸当りｄｓが設けられており、この戸当りｄｓには、クッションＰが取り付けられている（図１参照）。つまり、クッションＰは、戸枠２の開口２ｈを囲むように、各枠２ａ〜２ｄの戸当りｄｓに配設されている。このクッションＰは、扉１０を閉めたときの衝撃を吸収するとともに、戸枠２と扉１０との間の気密性を保つために設けられている。したがって、クッションＰは、扉１０を閉めた時に、扉１０の表面（室内側の面１０ａ）と接触するように設けられている。
【００１８】
（扉１０）
図３に示すように、戸枠２には扉１０が取り付けられている。この扉１０は、戸枠２の開口２ｈと略相似形であって、扉１０を閉じた状態において、戸枠２の開口２ｈを塞ぐことができる大きさに形成されている。
【００１９】
この扉１０は、連結手段によって、戸枠２に揺動可能に連結されている。具体的には、扉１０は、その戸尻（図１および図３（Ｂ）では左側の端部）を支点として、戸先（図３（Ｂ）では右側の端部）が水平に揺動できるように、連結手段によって、戸枠２に連結されている。
なお、連結手段は、上記機能を有するものであればよくその構造はとくに限定されない。例えば、公知の蝶番やピボットヒンジ、フロアヒンジ等を本実施形態のドアセット１の連結手段として使用することができる。
【００２０】
（換気機構２０）
図１に示すように、本実施形態のドアセット１では、戸尻側の竪枠２ｂに換気機構２０が設けられている。この換気機構２０は、クッションＰと、このクッションＰを移動させる機能を備えた操作部２１を有するものである。この換気機構２０において、クッションＰを移動させる操作部２１の作動機構２５は、竪枠２ｂの内面（開口２ｈを形成する面）に設けられている（図７参照）。そして、この作動機構２５の作動レバー２５ｒを操作すると、クッションＰの突出量（言い換えれば、扉１０を閉めた時におけるクッションＰと扉１０の面１０ａとの距離）を調節することができるようになっている。言い換えれば、扉１０を閉めた状態において作動機構２５の作動レバー２５ｒを操作すると、クッションＰが扉１０の面１０ａと接触した状態（遮蔽状態）と、クッションＰと扉１０の面１０ａとの間に隙間ができる状態（換気状態）の間でクッションＰを移動させることができるようになっている。この換気機構２０の詳細は後述する。
【００２１】
以上のごとき構成であるので、本実施形態のドアセット１によれば、扉１０を閉めれば、室内と室外をほぼ気密に分離することができる一方、扉１０を閉めた状態で換気を行うことができる。
【００２２】
具体的には、作動機構２５の作動レバー２５ｒを操作して、ドアセット１の扉１０を閉めた状態で竪枠２ｂに設けられているクッションＰが扉１０の面１０ａと接触するようにしておく。すると、ドアセット１の扉１０を閉めれば、戸枠２の各枠２ａ〜２ｄに設けられているクッションＰの全てが扉１０の表面１０ａに接触した状態（遮蔽状態）とすることができる。したがって、戸枠２の各戸枠２ａ〜２ｄの戸当りｄｓと扉１０の面１０ａとの間の隙間をクッションＰによって塞ぐことができる。そして、各枠２ａ〜２ｄに設けられているクッションＰは、戸枠２の開口２ｈを囲むように設けられているので、扉１０を閉めれば、戸枠２の開口２ｈをほぼ気密に閉じることができる（図２（Ａ）参照）。
【００２３】
一方、作動機構２５の作動レバー２５ｒを操作して、ドアセット１の扉１０を閉めた状態で竪枠２ｂに設けられているクッションＰが扉１０の面１０ａから離間するように移動させる。すると、ドアセット１の扉１０を閉めた状態でも、竪枠２ｂに設けられているクッションＰと扉１０の表面１０ａとの間に隙間ができる状態（換気状態）とすることができる。したがって、竪枠２ｂと扉１０との間の隙間を介して、室内と外部とが通気可能な状態となるので、扉１０を閉めた状態で換気を行うことができる（図２（Ｂ）参照）。
【００２４】
なお、図１および図２では、フィルタＧが扉１０の戸尻と竪枠２ｂとの間に設けられているが、かかるフィルタＧは必ずしも設けなくてもよい。しかし、フィルタＧを設けておけば、換気状態としたときに、埃などが室内に侵入することを防止できるという利点がある。
【００２５】
（換気機構２０の説明）
つぎに、換気機構２０について、詳細に説明する。
図１〜図３に示すように、戸尻側の竪枠２ｂには、換気機構２０が設けられている。具体的には、戸尻側の竪枠２ｂには、通常、戸当たりｄｓにおいてクッションＰが配置される位置に、換気機構２０を収容する収容溝２ｇが設けられている。この収容溝２ｇは、戸尻側の竪枠２ｂの軸方向（つまり戸枠２の上下方向）に沿って伸びた溝である。この収容溝２ｇ内に換気機構２０が設けられている。
【００２６】
図１に示すように、換気機構２０は、ケース２０ａを備えている。このケース２０ａは、断面略Ｕ字状に形成された長尺な部材である。このケース２０ａは、その底壁外面が収容溝２ｇの内底面ｓと対向しかつその底壁内面が戸当たりｄｓと略平行となるように収容溝２ｇに取り付けられている。
【００２７】
このケース２０ａ内には、特許請求項の範囲の遮蔽部材に相当するクッションＰと、クッションＰをケース２０ａの開口から出没させる操作部２１と、を備えている。
なお、ケース２０ａの開口は、収容溝２ｇの開口と同様に、扉１０側を向いているので、クッションＰをケース２０ａの開口から出没させれば、クッションＰは扉１０の表面１０ａに対して接近離間することになる。
【００２８】
クッションＰは、ケース２０ａの軸方向、つまり、収容溝２ｇの軸方向に沿って伸びている。このクッションＰは、その背部が支持プレートＳＰに取り付けられている。具体的には、支持プレートＳＰは断面略Ｕ字状の長尺な部材であり、この支持プレートＳＰの溝にクッションＰの背部が挿入されている。
【００２９】
支持プレートＳＰとケース２０ａの底壁内面との間には、支持プレートＳＰの移動（つまりクッションＰの移動）を案内する機構（クッション案内機構ＰＡ）が設けられている（図４、図５参照）。このクッション案内機構ＰＡは、支持プレートＳＰの背面に立設された軸材と、ケース２０ａの底壁内面に立設された筒状部材とを備えており、軸材の先端が筒状部材内に挿入されている。このため、支持プレートＳＰは、クッション案内機構ＰＡによって、ケース２０ａの底壁内面（つまり収容溝２ｇの内底面ｓ）に対して接近離間する方向には移動できるがケース２０ａの軸方向（つまり収容溝２ｇの軸方向）には移動しないように、ケース２０ａの底壁内面（つまり収容溝２ｇの内底面ｓ）に連結されている。
【００３０】
（操作部２１）
図１および図７に示すように、操作部２１は、クッションＰを支持する支持プレートＳＰの背面（つまりクッションＰの背面という）とケース２０ａの底壁内面との間に設けられている。この操作部２１は、移動プレート２１ａと、案内機構２２と、作動機構２５と、を備えている。なお、移動プレート２１ａが、特許請求の範囲における移動部材に相当する。
【００３１】
（移動プレート２１ａ）
図１に示すように、移動プレート２１ａは、板状の部材であり、ケース２０ａの底壁近傍に配置されている。この移動プレート２１ａは、その表面がケース２０ａの底壁内面（つまり収容溝２ｇの内底面ｓ）と平行となるように配置されている。そして、移動プレート２１ａは、ケース２０ａの底壁内面に沿って（言い換えれば戸当たりｄｓの表面に沿って）ケース２０ａの軸方向に移動可能に設けられている。なお、移動プレート２１ａは、後述する作動機構２５によって移動されるが、詳細は後述する。
【００３２】
この移動プレート２１ａには、表裏を貫通する貫通孔ｈが形成されている。この貫通孔ｈは、移動プレート２１ａの軸方向に延びた長孔であり、この貫通孔ｈ内に上述したクッション案内機構ＰＡが配置されている（図４参照）。
【００３３】
（案内機構２２）
図４および図５に示すように、案内機構２２は、支持プレートＳＰの背面に連結された複数の可動側部材２３と、移動プレート２１ａに設けられた複数の案内部２４と、を有している。
【００３４】
図４〜図６に示すように、複数の可動側部材２３は、断面略Ｕ字状に形成された部材であり、支持プレートＳＰの軸方向に沿って間隔を空けて設けられている。各可動側部材２３は、支持プレートＳＰの背面に底壁２３ａが固定されており、その側壁２３ｂ（支持プレートＳＰの背面に立設した側壁２３ｂ）に、案内溝２３ｇが形成されている（図５および図６参照）。この案内溝２３ｇは、移動プレート２１ａの表面に対して傾斜するように設けられている。より具体的にいえば、案内溝２３ｇは、その基端（図５では下側端部）から先端（図５では上側端部）に向かうにしたがって、底壁２３ａからの距離が短くなるように設けられている。言い換えれば、案内溝２３ｇは、その軸方向がケース２０ａの底壁内面（つまり収容溝２ｇの内底面ｓ）に対して傾斜し、その基端から先端に向かうにしたがって、ケース２０ａの底壁内面からの距離が長くなるように配設されるのである。
【００３５】
また、複数の案内部２４は、移動プレート２１ａの軸方向に沿って間隔を空けて設けられている。そして、各案内部２４は、上述した複数の可動側部材２３と対応する位置に設けられている。各案内部２４は、基端が移動プレート２１ａの表面に固定された基材２４ａと、この基材２４ａの先端に設けられた案内部材２４ｂと、を備えている。案内部材２４ｂは、軸状の部材であり、その先端が可動側部材２３の案内溝２３ｇに挿入されている。
【００３６】
案内機構２２が以上のごとき構成であるので、移動プレート２１ａを移動させれば、クッションＰをケース２０ａの底壁内面に対して接近離間する方向に移動させることができるのである。
【００３７】
つまり、移動プレート２１ａをケース２０ａの底壁内面に沿って移動させれば、複数の案内部２４の案内部材２４ｂも、ケース２０ａの底壁内面に沿って移動させることができる。案内部材２４ｂは可動側部材２３の案内溝２３ｇに挿入されており、この案内溝２３ｇはケース２０ａの底壁内面に対して傾斜している。このため、案内部２４の案内部材２４ｂがケース２０ａの底壁内面に沿って移動すると、案内部材２４ｂが可動側部材２３に干渉する。すると、可動側部材２３には、案内部材２４ｂからケース２０ａの底壁内面に沿って移動させようとする力が加わる。しかし、可動側部材２３が取り付けられている支持プレートＳＰは、クッション案内機構ＰＡによってケース２０ａの軸方向には移動しないようにケース２０ａの底壁内面に連結されている。一方、案内溝２３ｇがケース２０ａの底壁内面に対して傾斜している。このため、案内部材２４ｂから可動側部材２３に加わる力によって、可動側部材２３は、ケース２０ａの底壁内面に対して接近離間する方向に移動する。したがって、移動プレート２１ａをケース２０ａの底壁内面に沿って移動させれば、可動側部材２３が連結された支持プレートＳＰとともに、クッションＰをケース２０ａの底壁内面に対して接近離間する方向に移動させることができるのである。
【００３８】
（作動機構２５）
図７に示すように、竪枠２ｂにおいて収容溝２ｇを形成する側壁（収容溝２ｇの側壁）、および、ケース２０ａの側壁には、収容溝２ｇと外部との間を連通する取付孔ｈｂ、および、ケース２０ａの側壁と外部との間を連通する取付孔２０ｈが設けられている。そして、収容溝２ｇの側壁の取付孔ｈｂには、フランス落とし機構を有する作動機構２５が取り付けられている。この作動機構２５は、その作動レバー２５ｒを操作すると、移動プレート２１ａがその軸方向、つまり、ケース２０ａの底壁内面に沿った方向に移動するように設けられている。
【００３９】
具体的には、図５に示すように、移動プレート２１ａには、その表面と直交するプレート２１ｐが設けられている。このプレート２１ｐの下面には、作動レバー２５ｒに連結されたピン２５ｐの先端が接触するように設けられている。したがって、作動レバー２５ｒを上方に揺動させれば、ピン２５ｐが下方に移動するので、ケース２０ａの底壁内面に沿って、移動プレート２１ａを下方に移動させることができる（図５（Ａ））。一方、作動レバー２５ｒを下方に揺動させれば、ピン２５ｐが上方に移動するので、プレート２１ｐとともに、ケース２０ａの底壁内面に沿って、移動プレート２１ａを上方に移動させることができる（図５（Ｂ））。
【００４０】
操作部２１が以上のごとき構成であるので、以下のように操作すれば、クッションＰを遮蔽状態と換気状態との間で移動させることができる。したがって、本実施形態のドアセット１の扉１０を閉めた状態で、室内と室外をほぼ気密に分離した状態と、室内と室外が連通された状態（換気できる状態）を切り換えることができる。
【００４１】
まず、室内と室外をほぼ気密に分離した状態とする場合には、作動機構２５の作動レバー２５ｒを操作して、作動レバー２５ｒを上方に揺動させる（図５（Ａ）参照）。すると、移動プレート２１ａは下方に移動するので、案内機構２２に案内されて、クッションＰはケース２０ａの底壁内面（つまり収容溝２ｇの内底面ｓ）から離間するように移動する。すると、クッションＰをケース２０ａの開口（つまり収容溝２ｇの開口）から突出させることができる。したがって、扉１０を閉めたときに、クッションＰの先端が扉１０の面１０ａと接触した状態とすることができるので、竪枠２ｂと扉１０の戸尻との間の隙間を塞ぐことができる。よって、扉１０を閉めた状態で、室内と室外をほぼ気密に分離した状態とすることができる。
【００４２】
一方、室内と室外が連通された状態とする場合には、作動機構２５の作動レバー２５ｒを操作して、作動レバー２５ｒを下方に揺動させる（図５（Ｂ）参照）。すると、移動プレート２１ａは上方に移動するので、案内機構２２に案内されて、クッションＰはケース２０ａの底壁内面（つまり収容溝２ｇの内底面ｓ）に接近するように移動する。すると、クッションＰをケース２０ａの開口（つまり収容溝２ｇの開口）内に収容することができる。したがって、扉１０を閉めた状態でも、クッションＰの先端を扉１０の面１０ａから離間させた状態とすることができるので、竪枠２ｂと扉１０の戸尻との間に隙間が形成された状態とすることができる。よって、扉１０を閉めた状態でも、室内と室外を通気可能な状態とすることができる。
【００４３】
（移動プレート２１ａについて）
移動プレート２１ａに形成されている貫通孔ｈは、移動プレート２１ａがケース２０ａの底壁内面に沿って移動しても、クッション案内機構ＰＡと移動プレート２１ａが干渉しない程度の長さに形成されている（図４（Ａ）参照）。つまり、貫通孔ｈの軸方向の長さは、少なくとも移動プレート２１ａの移動ストロークよりも長くなるように形成されている。したがって、移動プレート２１ａが移動する際に、クッション案内機構ＰＡが障害となることはない。
【００４４】
（作動機構２５）
上記例では、ピン２５ｐの先端はプレート２１ｐの下面に接触するように設けられている場合を説明したが、プレート２１ｐとピン２５ｐは固定されていてもよい。しかし、上記のような構造とすれば、操作部２１と作動機構２５を設置する際に、両者を連結しなくてもよくなるので、換気機構２０の設置が容易になる。
【００４５】
また、移動プレート２１ａを移動させる作動機構２５は、上述したようなフランス落とし構造に限定されず、種々の方法を採用することができる。例えば、移動プレート２１ａに棒状のレバーの基端を固定し、その先端を竪枠２ｂにおいて収容溝２ｇを形成する側壁から突出させておく。すると、レバーの先端を人が持ってレバーを上下に移動させることによって、移動プレート２１ａを移動させることができる。
【００４６】
（案内機構２２について）
上記例では、可動側部材２３に案内溝２３ｇを設け、案内部２４に案内部材２４ｂを設けた場合を説明した。しかし、案内部２４に案内溝を設け、案内溝に挿入される案内部材を可動側部材２３に設けてもよい。
【００４７】
（クッション案内機構ＰＡ）
クッション案内機構ＰＡは、上記のごとく支持プレートＳＰとケース２０ａを上記のごとく連結できるのであれば、上記のごとき構造に限定されない。例えば、ケース２０ａの側壁内面にケース２０ａの底壁から開口に向かって延びるレール状の突出部を設け、支持プレートＳＰの側面にこの突出部と係合する切り欠きを設けてもよい。
【００４８】
（支持プレートＳＰ）
支持プレートＳＰの構造もとくに限定されず、操作部２１によってクッションＰが移動された際にクッションＰが変形しないように保持できるものであればよい。例えば、単なる板状の部材を支持プレートＳＰとして使用してもよい。しかし、上述したような略Ｕ字状の支持プレートＳＰを用いれば、通常の戸枠の戸当たりにクッションＰを取り付ける場合と同様の方法でクッションＰを支持プレートＳＰに固定できるという利点がある。
【００４９】
（クッションＰについて）
戸当りに取り付けられるクッションＰはとくに限定されないが、通常、内部が中空となったものが好ましい。その理由は、クッションＰの柔軟性を高めて、衝撃吸収性や扉１０との密着性を高めるためである。
【００５０】
とくに、扉１０を閉めた状態におけるドアセット１の気密性を高める上では、クッションＰと扉１０との接触面積を大きくして、扉１０との密着性を高めることが好ましい。例えば、先端面が略平坦面となったクッションＰを使用すれば、ドアセット１の気密性を高めることができる。
【００５１】
一方、戸尻側の竪枠２ｂに設けられるクッションＰには、その先端に板状の接触片Ｐｓを設けたものを使用することが望ましい（図１参照）。先端面が略平坦面となったクッションＰの場合、クッションＰを扉１０の面１０ａに接触させた状態（つまり気密状態）では、扉１０の開閉の際にクッションＰが抵抗となる。したがって、扉１０を開閉する際には、換気機構２０の操作部２１を操作して、気密状態から連通状態に切り替える必要がある。しかし、図１に示すような接触片Ｐｓを有するクッションＰを戸尻側の竪枠２ｂに設ければ、クッションＰの接触片Ｐｓを扉１０の表面１０ａに接触させた状態でも、クッションＰの抵抗を軽減することができる。つまり、扉１０を開く際に換気機構２０の操作部２１を操作しなくても（つまり気密状態のままでも）、扉１０をスムースに開くことができるので、換気機構２０を設けても、ドアセット１の操作性を向上させることができる。
【００５２】
（換気機構２０の設置位置）
上記例では、戸尻側の竪枠２ｂに換気機構２０を設ける場合を説明した。しかし、換気機構２０を設ける位置は、戸尻側の竪枠２ｂに限られない。戸尻側の竪枠２ｂ以外の枠２ａ，２ｃ，２ｄに換気機構２０を設けてもよい。
【００５３】
とくに、戸先側の竪枠２ａと扉１０との間には隙間ができやすいので、換気機構２０を戸先側の竪枠２ａに設ければ、換気状態での通気性や遮蔽状態での気密性を高めることができる。
【００５４】
（操作部２１の他の例）
換気機構２０の操作部２１は、上述したような構成に限定されない。クッションＰを遮断状態と換気状態の間で移動させることができ、しかも、各位置でクッションＰが移動しないようにその移動を固定しておくことができるのであれば、種々の構成を採用することができる。
【００５５】
さらに、上記例では、換気機構２０の操作部２１として、クッションＰを遮断状態と換気状態の間で切り換える構成を有する場合を説明した。つまり、クッションＰが遮断状態と連通状態の２つの姿勢を取る場合を説明した。しかし、操作部２１として、クッションＰを遮断状態と換気状態の間の任意の位置で保持できる構成を採用してもよい。この場合、換気機構２０を操作することによって、連通量を調整することができるという利点が得られる。
【００５６】
かかる機能を有する操作部２１の構成はとくに限定されないが、以下のような構成を採用することができる。
【００５７】
例えば、支持プレートＳＰにネジ孔を形成しこのネジ孔に螺合したネジ軸を有するものを操作部２１として採用する。そして、ネジ軸の軸方向が扉１０を閉めた状態において扉１０の面１０ａと直交するように配設する。すると、ネジ軸を回転させれば、クッションＰを扉１０の面１０ａに対して進退させることができる。しかも、ネジ軸の回転量を調整すれば、クッションＰを扉１０の面１０ａから所望の距離で停止させることができる。
【００５８】
（換気装置）
換気機構２０を戸枠２に設けられた収容溝２ｇに設置する場合には、上述したケース２０ａは必ずしも設けなくてもよい。つまり、操作部２１等を、直接、収容溝２ｇに設置してもよい。この場合、収容溝２ｇの内底面ｓが上述したケース２０ａの底壁内面として機能し、収容溝２ｇの開口が上述したケース２０ａの開口として機能するように、操作部２１等を収容溝２ｇ内に設置すればよい。しかし、ケース２０ａを設けておけば、操作部２１を収容溝２ｇに設置する作業等が容易になるという利点が得られる。
【００５９】
また、上述したようなケース２０ａを設けていれば、換気機構２０を、戸枠２から独立した一つのユニット状の換気装置として使用することも可能である。つまり、換気機構２０のケース２０ａを戸枠の外面等に直接固定すれば、収容溝２ｇを有しない戸枠であっても、換気装置を設置することができる。すると、既設のドアセットであっても、換気装置を設置することにより、簡単に気密性の高いドアセットとすることができる。なお、この場合には、ケース２０ａの底壁内面が、特許請求の範囲にいう対向内面に相当する。
【００６０】
なお、ケース２０ａを有するユニット状の換気装置は、戸枠と扉の間に形成される隙間を連通遮蔽する場合、扉側に設けてもよいし、壁や壁に設置されるパネルにも取り付けてもよい。
また、ユニット状の換気装置は、戸枠と扉の間に形成される隙間を連通遮蔽する以外の用途にも使用することができる。例えば、可動間仕切り壁同士の間に形成される隙間を連通遮蔽する装置としても使用することができる。もちろん、窓枠と桟との隙間を連通遮断する場合にも使用できる。この場合、ユニット状の換気装置を窓枠と桟のいずれに設けてもよいが、窓の使用しやすさを考慮すれば、ユニット状の換気装置は窓枠に設ける方が望ましい。
【産業上の利用可能性】
【００６１】
本発明のドアセットは、マンション等の居住用建物の玄関などに使用されるドアセットに適している。
【符号の説明】
【００６２】
１      ドアセット
２      戸枠
１０      扉
２０      換気機構
２０ａ    ケース
２１      操作部
２１ａ    移動プレート
２２      案内機構
２３      可動側部材
２３ｇ    案内溝
２４      案内部
２４ｂ    案内部材
２５      作動機構
Ｐ      クッション
ｄｓ      戸当たり
【図１】
0006463148.tif 000002
【図２】
0006463148.tif 000003
【図３】
0006463148.tif 000004
【図４】
0006463148.tif 000005
【図５】
0006463148.tif 000006
【図６】
0006463148.tif 000007
【図７】
0006463148.tif 000008